(57)【要約】【課題】各種電子機器の入力部等に使用される複合スイッチに関し、二つのスイッチ部が操作体の操作部へのプッシュ操作またはスライド操作に応じてそれぞれ作動する細幅構成のものを提供する。【解決手段】樹脂ケース３０に金属カバー７０を結合させて構成される直方体状の筐体内に、その長手方向に沿った方向で順に並ぶように、第一スイッチ部を長手側となる左右方向の左方位置に、また第二スイッチ部を右方位置に配設したものとした。さらに、操作体６０へのプッシュ操作時に、操作体６０が第一スイッチ部側が下がる傾倒動作可能に配した構成のものとした。【選択図】図１
2014013709.tif 000002
【特許請求の範囲】
【請求項１】
操作体へのプッシュ操作に応じてスイッチ状態が切り換わる第一スイッチ部と、上記操作体に対するスライド操作に応じてスイッチ状態が切り換わる第二スイッチ部とを有する複合スイッチであって、上記第一スイッチ部と上記第二スイッチ部とを直方体状の筐体の長手方向に沿った方向に順に並べて配設すると共に、上記操作体へのプッシュ操作時に、上記操作体を上記第一スイッチ部側が下がる傾倒動作可能に配したことを特徴とする複合スイッチ。
【発明の詳細な説明】
【技術分野】
【０００１】
本発明は、各種電子機器の入力部等に使用される複合スイッチに関するものである。
【背景技術】
【０００２】
近年、各種電子機器の高機能化が進む中、一つの操作部に対して数種類の複合操作が可能で、様々な操作に応じて所定出力が得られる複合スイッチが多く用いられている。
【０００３】
このような従来の複合スイッチについて図１３〜図１６を用いて説明する。
【０００４】
図１３は従来の複合スイッチの外観斜視図、図１４は同分解斜視図、図１５は要部である樹脂ケースの上面図、図１６は樹脂ケースに固定される接点の配置パターンを示す図である。
【０００５】
同図において、１は、上面視略長方形に形成された上方開口の樹脂ケースであり、図１５に示すように、この樹脂ケース１は、短手側の前方領域がプッシュスイッチ配設箇所となり、後方領域がスライドスイッチ配設箇所となっている。なお、以下では図１４に示したように、樹脂ケース１の長手側を左右方向、短手側を前後方向として説明する。
【０００６】
樹脂ケース１における前方領域の左右方向の中央位置には、略円形の第一凹部が設けられている。第一凹部の内底面には、プッシュスイッチ用の接点３Ａと３Ｂが互いに独立状態で固定されている（図１５、図１６参照）。
【０００７】
樹脂ケース１の後方領域は、上面視で略矩形状の第二凹部に形成されており、その内底面には、スライドスイッチ用の三つの接点１０Ａ、１０Ｂ、１０Ｃが固定されている（図１５、図１６参照）。接点１０Ａは第二凹部の左端に固定され、接点１０Ｃは第二凹部の右端に固定され、接点１０Ｂはそれらの間の位置に独立状態で固定されている。すなわち、接点１０Ａ、１０Ｂ、１０Ｃは、左から右にかけて互いに独立状態で順に固定されている。
【０００８】
５は、上方凸形で円形ドーム状に形成された金属薄板製の可動接点であり、第一凹部内に収容状態で配されている。この可動接点５は、中央部を下方に押圧すると、中央部が下方凸形に弾性反転し、その操作力を除くと元の上方凸形に自己復帰するものであり、上記の押圧操作および押圧解除に伴って下方の接点３Ａと３Ｂとの間を電気的に接離させる。そして、第一凹部上は可撓性を有する絶縁板７で覆われている。
【０００９】
９は、バネ性を有する金属板から細長い形状に加工形成されたバネプレートであり、その長手方向を樹脂ケース１の左右方向に対応させて前方領域内で絶縁板７の上に配されている。バネプレート９は、両端位置に内側にへこんだ窪み部を有し、その窪み部が樹脂ケース１の左右の壁部に設けられた内側に突出する内側突起に各々係合されて位置決めされている。そして、このバネプレート９には可動接点５の中央位置に対応する箇所に下方突起が設けられている。
【００１０】
そして、バネプレート９の上方には樹脂製の第一部材１５が配されている。第一部材１５は、平板部とその平板部中央に上方に突出形成された直方体状の操作部１６を有している。第一部材１５は、詳細は後述するが、第二部材２０に対して上下動可能に組み合わせられている。
【００１１】
第二部材２０は、樹脂製で平板状に形成されており、その前方位置には第一部材１５の操作部１６より少し大きい相似形に形成された貫通孔２１を有している。また、第二部材２０の後方位置の上面には凹凸部２２が形成されており、後方側の下面には、左右それぞれに伸びる脚部を有した接触片１２が固定されている。
【００１２】
そして、第一部材１５は、操作部１６を下方から第二部材２０の貫通孔２１に挿通させて第二部材２０に対して上下動可能に組み合わせられ、その第一部材１５がバネプレート９上に位置するように第一および第二部材１５および２０は樹脂ケース１に配されている。ここに、第二部材２０は、樹脂ケース１に対して左右方向にスライド移動可能に配されている。
【００１３】
２５は、金属カバーであり、樹脂ケース１上から配されて樹脂ケース１に係止されている。金属カバー２５は、前方位置に操作部１６を挿通させる左右に長尺の矩形孔２６を有すると共に、後方位置に第二部材２０の凹凸部２２に弾接するバネ部２７が一体に設けられている。
【００１４】
従来の複合スイッチは、以上のように構成されている。次に、動作について説明する。
【００１５】
まず、操作部１６を左右方向にスライド操作すると、第一および第二部材１５および２０が、操作された左右方向に一体でスライド移動する。そのときに第二部材２０の凹凸部２２が金属カバー２５のバネ部２７に対して相対的に移動することによって操作感触が生じる。また、第二部材２０に固定された接触片１２もスライド移動し、左右それぞれに伸びる脚部が樹脂ケース１面を摺動し、各々の脚部先端の弾接位置が変わる。例えば、接触片１２が接点１０Ａと１０Ｂとに弾接した状態から接点１０Ｂと１０Ｃとに弾接した状態、あるいは接点１０Ｂと１０Ｃとに弾接した状態から接点１０Ａと１０Ｂとに弾接した状態になる。すなわち、上記操作部１６へのスライド操作で、当該構成のスライドスイッチのスイッチ状態の切り替えが可能となっている。
【００１６】
操作部１６を下方に押し下げると、その左右方向での位置に拘わらず第一部材１５のみが下方へ移動してバネプレート９を下方に押し下げる。そして、バネプレート９に設けられた下方突起が絶縁板７を介して可動接点５の中央部を押圧していき、上記押圧力が所定の大きさを超えると可動接点５の中央部が反転動作する。これによって、可動接点５を介して接点３Ａと３Ｂとの間が導通したプッシュスイッチのスイッチオン状態になる。上記押し下げ力を除くと、可動接点５が元の上方凸型形状に自己復帰して上方に位置する各部材を押し上げて、上記プッシュスイッチが元のスイッチオフ状態に戻るものであった。
【００１７】
なお、この出願の発明に関連する先行技術文献情報としては、例えば、特許文献１が知られている。
【先行技術文献】
【特許文献】
【００１８】
【特許文献１】特開２００７−２６５９３８号公報
【発明の概要】
【発明が解決しようとする課題】
【００１９】
しかしながら、近年では機器の小型薄型化に伴って、搭載される電子部品としても投影面積の小さいものが好まれ、第一部材１５を第二部材２０に上下動可能に組み合わせた従来の複合スイッチの構成では、短手側となる前後の幅を小さくしたものとすることが難しかった。
【００２０】
本発明はこのような課題を解決するものであり、二つのスイッチ部が操作体の操作部へのプッシュ操作またはスライド操作に応じてそれぞれ作動する細幅構成の複合スイッチを提供することを目的とする。
【課題を解決するための手段】
【００２１】
上記目的を達成するために本発明は、以下の構成を有する。
【００２２】
本発明は、操作体へのプッシュ操作に応じてスイッチ状態が切り換わる第一スイッチ部と、上記操作体に対するスライド操作に応じてスイッチ状態が切り換わる第二スイッチ部とを有する複合スイッチであって、上記第一スイッチ部と上記第二スイッチ部とを直方体状の筐体の長手方向に沿った方向に順に並べて配設すると共に、上記操作体へのプッシュ操作時に、上記操作体を上記第一スイッチ部側が下がる傾倒動作可能に配したことを特徴とする複合スイッチとしたものである。
【００２３】
これであれば、二つのスイッチ部のスイッチ状態が、操作体のプッシュ操作またはスライド操作に応じてそれぞれ切り換わる形態の複合スイッチを細幅構成で実現できる上、スライド操作による第二スイッチ部のスイッチ切り換わり状態で操作体へのプッシュ操作をすると第二スイッチ部に加えて第一スイッチ部のスイッチ状態の切り替えも可能となるものに実現することができるという作用を有する。
【発明の効果】
【００２４】
以上のように本発明は、操作体へのプッシュ操作に応じて第一スイッチ部のスイッチ状態が切り換わり、また同じ操作体に対するスライド移動に応じて第二スイッチ部のスイッチ状態が切り換わる細幅構成の複合スイッチを得ることができる。さらには、スライド操作による第二スイッチ部のスイッチ切り換わり状態で操作体へのプッシュ操作をすると第二スイッチ部に加えて第一スイッチ部のスイッチ状態の切り替えも可能となるものを提供できるという有利な効果が得られる。
【図面の簡単な説明】
【００２５】
【図１】本発明の一実施の形態による複合スイッチの断面図
【図２】同外観斜視図
【図３】同分解斜視図
【図４】通常状態でプッシュ操作した状態を示す断面図
【図５】スライド移動操作後の状態を示す断面図
【図６】スライド移動操作後でプッシュ操作した状態を示す断面図
【図７】第二スイッチ部を他のプッシュ式構成のものに置き換えた断面図
【図８】同分解斜視図
【図９】同第二スイッチ部用固定接点の位置での断面図
【図１０】第二スイッチ部をスライド式構成のものに置き換えた断面図
【図１１】同分解斜視図
【図１２】同第二スイッチ部用固定接点の位置での断面図
【図１３】従来の複合スイッチの外観斜視図
【図１４】同分解斜視図
【図１５】要部である樹脂ケースの上面図
【図１６】樹脂ケースに固定される接点の配置パターンを示す図
【発明を実施するための形態】
【００２６】
以下、本発明の実施の形態について、図１〜図１２を用いて説明する。
【００２７】
（実施の形態）
図１は本発明の一実施の形態による複合スイッチの断面図、図２は同外観斜視図、図３は同分解斜視図である。
【００２８】
同図において、３０は上面視略長方形に形成された樹脂ケースであり、その樹脂ケース３０上から金属カバー７０が結合されて、これらで直方体状の筐体が構成されている。この筐体内には、長手側となる左右方向の左方位置に第一スイッチ部が配設され、右方位置には第二スイッチ部が配設されている。つまり、当該構成品では第一スイッチ部と第二スイッチ部とを筐体の長手方向に沿った方向で順に並べて配設し、それによって細幅構成のものに実現している。
【００２９】
まず、第一スイッチ部について説明する。第一スイッチ部は、所謂プッシュスイッチ構成のものとなっている。樹脂ケース３０底部の左方箇所には、略円形の第一凹部が上面開口で形成されており、その第一凹部の内底面には互いに電気的に独立した二つの接点（第一接点３２と第二接点３３）が固定されている。第一接点３２は第一凹部の中央に配され、第二接点３３は第一凹部の周縁に配されている。
【００３０】
そして、第一凹部内に、上方凸型の円形ドーム状に形成された金属薄板製の第一可動接点３５が、第二接点３３に外周下端を載せて配されている。第一可動接点３５の中央部下面は第一接点３２に所定間隔をあけて対向している。この第一可動接点３５としては、動作時に節度を生じて反転するものが用いられている。
【００３１】
第一凹部上は、ポリイミド製などの可撓性を有する第一絶縁シート３７で覆われている。第一絶縁シート３７は、第一凹部の周囲位置にあたる樹脂ケース３０の底部上に貼り付けられている。そして、第一可動接点３５の中央部位置に対応する第一絶縁シート３７上面位置には円柱状の突起部材３８が固着されている。
【００３２】
５０は、バネ性を有する金属板から形成された駆動部５５付きの固定部材であり、その中央平坦部５１が樹脂ケース３０の短手側（つまり前後方向）に沿うように樹脂ケース３０の底部上に重ねて配され、その前後それぞれの端部位置に設けられたカシメ固定部が樹脂ケース３０の短手側の側面から底面に抱きカシメされることによって樹脂ケース３０の底部に固定されている。
【００３３】
そして、この固定部材５０は、中央平坦部５１から左方に遠ざかるにしたがって傾斜して上方にあがっていく二つのアーム部５２、およびそれらのアーム部５２の左方端部位置に一体形成されている板状部５３を備え、上記中央平坦部５１が固定された状態で板状部５３は第一スイッチ部の突起部材３８上に載せられている。その配置状態で、板状部５３の上面は略水平状態になっている。
【００３４】
さらに、この固定部材５０は、中央平坦部５１から右方にかけて水平に伸びる二つの直線延出部５４を備えている（図３参照）。各直線延出部５４は、樹脂ケース３０の前後位置の周縁それぞれで樹脂ケース３０の底部上に重なって配され、右方向に向かって伸びている。二つの直線延出部５４は、その上面高さ位置が同一高さになっており、詳細は後述するが、それらの各上面が後述する操作体６０との摺動面となるものである。
【００３５】
また、固定部材５０の中央平坦部５１から右方にかけては、二つの直線延出部５４に加えて、それらの間の位置に、中央平坦部５１から平板の片持ちバネ状に一体形成されている駆動部５５が設けられている。つまり、駆動部５５は、中央平坦部５１側が固定状態の根元側となり、右方にいくにつれて側面視で斜め上方に伸びる弾性アームを有し、その弾性アームにおける右よりの位置に側面視で下方に向けてくの字状に曲げ形成されたダボ部５６を有している。さらに、そのダボ部５６右側の傾斜面は、そのままの斜め角度で上方に向けて延設され、曲げ部５７を介して略水平方向に伸びている先端部５８に繋がっている。駆動部５５は、その弾性アームから先端部５８までを含んで構成されたものとなっている。このダボ部５６は、第二スイッチ部を作動させるために設けられており、続いて第二スイッチ部の構成などの説明をする。
【００３６】
当該構成品での第二スイッチ部は、第一スイッチ部と同様の所謂プッシュスイッチ構成のものとなっている。その構成としては、樹脂ケース３０底部の右方箇所に略矩形状の第二凹部が上面開口で形成されており、その第二凹部の内底面には互いに電気的に独立した二つの固定接点（第三接点４２と第四接点４３）が固定されている。第三接点４２は第二凹部の中央に配され、第四接点４３は第二凹部の周縁に配されている。
【００３７】
そして、第二凹部内には、短冊状で上方凸型のアーチ状に形成された薄板金属製の第二可動接点４５が、第四接点４３に側辺下端を載せて配されている。第二可動接点４５の中央部下面は第三接点４２に所定間隔をあけて対向している。この第二可動接点４５としては、動作時に節度を生じることなく反転するものが用いられている。なお、第二凹部を左右方向に長い形状として、第二可動接点４５の長手側をその左右方向に対応させて配する構成にすると、長寸側寸法が大きい第二可動接点４５を用いることができ好ましい。
【００３８】
第二凹部上は、ポリイミド製などの可撓性を有する第二絶縁シート４７で覆われている。第二絶縁シート４７は、第二凹部の周囲位置にあたる樹脂ケース３０の底部上に貼り付けられている。なお、第二絶縁シート４７は、固定部材５０の二つの直線延出部５４に干渉しないように、二つの直線延出部５４の前後間の範囲内に収まる上面視矩形状のものなどにすると好ましい。その外形設定であれば、各直線延出部５４が、樹脂ケース３０の底部上に直接載る構成にでき、各直線延出部５４の上面の高さ位置が揃いやすいためである。なお、各直線延出部５４と樹脂ケース３０の底部上面との間に第二絶縁シート４７の周縁部が介在するように構成してもよい。
【００３９】
そして、上記のように構成された第二スイッチ部に対し、前述した固定部材５０の駆動部５５は、先端部５８上が金属カバー７０における天面部の下面に弾接し、ダボ部５６が第二絶縁シート４７の上面位置に弾接した状態となっている。そのダボ部５６の弾接位置は、第二可動接点４５の頂点部位置に対応している。
【００４０】
以上に説明した第一スイッチ部および第二スイッチ部は、操作体６０への所定操作によって作動される。次に、操作体６０について説明する。
【００４１】
操作体６０は、上面略矩形状の本体部６１を有し、この本体部６１の左方上面位置に上方に棒状で突出する操作部６２が一体形成されている。操作部６２は前後方向の中央位置に設けられ、その操作部６２が配された左方位置の下面は平坦状に形成されている。そして、この左方位置の下面が固定部材５０の板状部５３上に載っている。
【００４２】
そして、本体部６１は、前後方向側での端部位置となる縁部６３のそれぞれが、中央位置より少し上下に厚く形成され、かつ側面視では右方端部にいくにつれて下方側に傾斜状で広がっていく形状となっている。また、それらの右方端部近傍の上下面部分は側面視円弧状に形成されている。そして、この二つの縁部６３における右方端部近傍の各円弧状部分の最下方位置が、固定部材５０の二つの直線延出部５４上に載せられている。
【００４３】
そして、操作体６０において、本体部６１の右方位置には、感触生成部６４が形成されている。当該構成では、その感触生成部６４を、上下に貫通する窓状の孔部を設けたものとしている。上記窓状の孔部としては、本体部６１の前後端部に設けられている各縁部６３の右方に突出している先端どうしの間が直線棒状の連結部６５で連結され、その連結部６５の左位置に構成された空間が上面視略矩形状で窓状の孔部になる構成のものとしている。なお、連結部６５としては、断面矩形状のものにおいて各角部を面取りした形状のものとしている。なお、感触生成部６４としては、貫通していない凹凸形状のものなどで形成されていてもよい。
【００４４】
そして、本体部６１は、縁部６３や連結部６５を含んで上面視略矩形状に構成されている。
【００４５】
なお、操作体６０は、前述したように、本体部６１における左方位置が固定部材５０の板状部５３上に載せられて板状部５３ならびに第一スイッチ部を介して下方から支持され、右方側は、縁部６３の右方端部近傍の円弧状部分となった最下方位置が直線延出部５４上に載せられて下方から支持されている。つまり、本体部６１は安定した支持状態で筐体内に配されている。操作部６２は、金属カバー７０天面部の左方位置に設けられた左右方向に横長で矩形状の貫通孔７１から上方に突出している。
【００４６】
そして、この操作体６０は金属カバー７０の内壁などでガイドされつつ左右方向にスライド移動可能になっている。なお、金属カバー７０の貫通孔７１の形状は、操作体６０のスライド移動に応じた操作部６２の移動に際し、支障が生じないように形状設定がされている。
【００４７】
そして、金属カバー７０の天面部の右方位置には、バネ部７２が設けられている。バネ部７２について説明すると、金属カバー７０は、天面部において、左方位置に前述の貫通孔７１を有すると共に、左右方向における略中央部には、前後方向に繋がっている中間部を備えている。そして、上記中間部が根元となり、そこから右方に弾性アームが伸びたバネ部７２が一体形成されている。つまり、バネ部７２は、上記中間部から片持ち状に伸びる形状で金属カバー７０に一体形成されており、バネ部７２の弾性アームの先端位置には、側面視で下方に向けてくの字状に曲げ形成されたダボ部７３が設けられている。
【００４８】
その先端のダボ部７３は、操作体６０が左右の長手方向に向けて移動した際、操作体６０の感触生成部６４に係合、離脱をする構成となっている。当該構成品では、これによって操作体６０のスライド移動時での所定の操作感触が得られるものとしている。なお、バネ部７２を金属カバー７０に一体形成する以外に、別部品のバネ部材を金属カバーに結合させた構成などとしてもよい。
【００４９】
そして、このダボ部７３付きのバネ部７２は、固定部材５０の駆動部５５などに対して干渉することなく駆動部５５の上方に位置している。言い換えると、第二スイッチ部の中央位置上に弾接して配置されている駆動部５５に対し、バネ部７２やそのダボ部７３はさらにその上方に所定間隔を空けて位置する配置関係になるように、第二スイッチ部の配設位置や、駆動部５５の長さやダボ部５６の形成位置、バネ部７２の長さやダボ部７３の形成位置などは設定されている。
【００５０】
そして、操作体６０は、左側に位置している状態では、本体部６１右方の連結部６５が、バネ部７２におけるダボ部７３左側近傍の弾性アーム位置と駆動部５５におけるダボ部５６左側近傍の弾性アーム位置によって上下を挟まれた状態になっている（図１参照）。このとき、バネ部７２は、やや上方に撓まされて僅かに連結部６５を斜め左下方に付勢している。
【００５１】
なお、操作体６０には、縁部６３それぞれの左方端部近傍の上面位置に上端が平坦に形成された突起６６が設けられている（図３参照）。この突起６６は、操作体６０のスライド移動時に摩擦の影響を緩和するために設けたものであり、適宜必要に応じて設ければよい。
【００５２】
以上のように、当該複合スイッチは構成されており、次に動作説明をする。その通常状態としては、図１などに示したように、左側に操作体６０が位置した状態を通常状態として説明する。
【００５３】
通常状態では、操作体６０は、スライド移動が可能な範囲の左端位置（始端位置）で安定した停止状態になっている。この停止状態では、操作体６０の本体部６１は略水平に維持されて保たれている。
【００５４】
この通常状態から、操作体６０の操作部６２に下方への押し下げ力を加えて押し下げ操作をすると、本体部６１は、右側部分は縁部６３で支持された状態となっているため、左側部分が下がる傾倒動作をする。つまり、本体部６１の左方部の下面で固定部材５０の板状部５３を押し下げていく。これによって、固定部材５０のアーム部５２が節度を生じることなく撓んでいくと共に、板状部５３を介して突起部材３８に押し下げ力が加わり、その力はさらに第一絶縁シート３７を介して第一可動接点３５の中央部に加わるようになる。この第一可動接点３５の中央部に加わる力が所定の大きさを超えると、第一可動接点３５の中央部が節度を生じつつ反転動作して、図４に示したように、その中央部下面が第一接点３２に接して、第一接点３２と第二接点３３との間が導通している第一スイッチ部のスイッチオン状態となる。
【００５５】
操作部６２への押し下げ力を除くと、第一可動接点３５が元の上方凸型形状に自己復帰して第一接点３２から第一可動接点３５が離間し、第一スイッチ部がスイッチオフ状態に戻る。そして、その第一可動接点３５の復帰力に加えて、第一絶縁シート３７、アーム部５２の復元力なども加わりつつ、板状部５３が突起部材３８を介してプッシュ操作前の位置に押し戻され、操作体６０の本体部６１が略水平な状態で位置する通常状態に戻る。
【００５６】
次に、通常状態から、操作体６０の操作部６２に対して水平に右方向へのスライド移動操作をすると、操作体６０は水平状態のまま右方にスライド移動していく。このとき、連結部６５は上下を挟んでいるバネ部７２と駆動部５５の間を右方向に移動していく。
【００５７】
つまり、連結部６５は上面側でバネ部７２を上方に撓ませつつ右方へ進んでいき、ダボ部７３が連結部６５の上面側を乗り越えて勢いよく感触生成部６４内に入り込む。これがスライド操作時の操作感触として感じられ、ダボ部７３が感触生成部６４内に入り込んだ位置で、図５に示したように、操作体６０は停止する構成となっている。なお、上記のスライド移動中には連結部６５にバネ部７２からのバネ力が下方に向けて働くこととなるが、当該構成のように、その下方位置にあたる摺動箇所の構成として、金属板製の滑らかな平坦面からなる二つの直線延出部５４上に、本体部６１における各縁部６３右方の側面視円弧状に形成した箇所を載せて摺動させる構成にすると、バネ部７２からの上記バネ力の影響によるスライド操作力の変化度合いが抑えられて好ましい。
【００５８】
また、操作体６０の右方への移動中には、連結部６５は、駆動部５５のダボ部５６右側の傾斜面に当接して、その傾斜面を連結部６５で押しつつ操作体６０の右方への移動が引き続きなされていく。つまり、これによってダボ部５６位置が下がりつつ駆動部５５のアーム部分が下方に撓まされていき、そして、第二絶縁シート４７を介して加わるダボ部５６による押し下げ力が第二可動接点４５の動作力より大きくなった時に第二可動接点４５が節度を生じることなく中央部が反転動作し、その中央部下面が第三接点４２に接した第二スイッチ部のスイッチオン状態となる。
【００５９】
ここに、操作体６０は、前述したように、ダボ部７３が感触生成部６４内に入り込む際、所謂速動状態となってその際にスライド操作時の操作感触が得られるが、それと同時もしくはその直前に第二スイッチ部がスイッチオン状態となる構成にするとよい。
【００６０】
そして、ダボ部７３が感触生成部６４内に入り込んだ操作体６０のスライド移動後の停止状態では、図５に示したように、連結部６５は曲げ部５７上に位置しており、第二スイッチ部のスイッチオン状態は確実に維持された状態で保たれるようになっている。なお、スライド移動後の操作体６０は、スライド移動前と同様に本体部６１は水平状態を保っている。つまり、本体部６１の左方位置は板状部５３上に少しずれているが載ったままの状態となっている。
【００６１】
このスライド移動後の状態から操作体６０の操作部６２に対し水平に左方向へのスライド移動操作をすると、上記とは逆の動作状態になって通常状態に戻る。その動作状態については重複するので以下に簡単に説明する。
【００６２】
操作体６０が左側へ移動する際にも、バネ部７２は上方に撓ませられつつ、ダボ部７３が感触生成部６４から離脱して連結部６５の上面側を乗り越える。その際にスライド操作時の操作感触が得られる。また、連結部６５が曲げ部５７上から左方に移動していくことによって、駆動部５５のダボ部５６での第二スイッチ部に対する押し下げ状態も解除され、それに伴って第二可動接点４５が元の上方凸型のアーチ状に戻って第二スイッチ部がスイッチオフ状態に戻ると共に、操作体６０が左側に位置した図１に示す通常状態に戻る。
【００６３】
以上のように、当該構成品は、二つのスイッチ部のスイッチ状態が、操作体６０のプッシュ操作またはスライド操作に応じてそれぞれ切り換わる形態のものとなっている。
【００６４】
さらに、当該構成品は、上記右方へのスライド移動後の操作状態においても、操作体６０の操作部６２を押し下げ操作することが可能となっており、続いてその動作説明をする。
【００６５】
上記右方へのスライド移動後では、操作体６０は右側に移動された状態で本体部６１が水平を保って位置している。
【００６６】
そして、スライド移動後の状態で操作部６２に押し下げ力を加えて押し下げ操作をすると、通常状態からプッシュ操作をした場合と同様に、本体部６１は、縁部６３で支持された状態となっている右側部分に対し左側部分が下がる傾倒動作をする。これによって、上記同様に本体部６１の左方部下面で板状部５３を押し下げていき、板状部５３を介して突起部材３８に押し下げ力が加わり、その力はさらに第一絶縁シート３７を介して第一可動接点３５の中央部位置に加わる。その第一可動接点３５に加わる力が所定の大きさを超えると、第一可動接点３５が節度を生じつつ反転動作して、図６に示したように、第一スイッチ部がスイッチオン状態となる。このとき、第二スイッチ部はスイッチオン状態を維持している。
【００６７】
ここに、当該構成品では、上記右方へのスライド移動後にバネ部７２のダボ部７３が感触生成部６４内に入り込んでいるため、右方へのスライド移動後のプッシュ操作時に操作体６０が不用意に左右方向に移動することが低減化され、上記第一スイッチ部への操作時に第二スイッチ部のスイッチオン状態が維持されやすいという利点を有する。なお、ダボ部７３や感触生成部６４については上記プッシュ操作時に本体部６１の傾倒していく動作を規制し難いようにそれぞれアールを取るなどの形状設定にすると好ましく、また、それと同時に連結部６５が曲げ部５７上に確実に位置するように形状設定をするとよい。
【００６８】
操作部６２への押し下げ力を除くと、第二スイッチ部はスイッチオン状態で維持されたまま、第一可動接点３５のみが元の上方凸型に自己復帰して板状部５３などが元の位置に押し戻され、第一スイッチ部だけがスイッチオフ状態に戻って板状部５３に載せられた操作体６０が元の水平な状態に戻る。
【００６９】
このように、当該構成品は、通常状態ではプッシュ操作による第一スイッチ部の切り替えができ、スライド操作をして第二スイッチ部の切り替えができる上、スライド操作後にプッシュ操作による第一スイッチ部の切り替えができるものに実現できる。そして、第一スイッチ部、第二スイッチ部を左右に順に並べて位置させた配置関係のものとしているため、従来品よりも前後方向の幅寸法を低減化させた細幅構成のものとして提供することができる。
【００７０】
そして、当該構成品の第一スイッチ部、第二スイッチ部の接点部は覆われた領域内に配設されているため、防塵性や防滴性に優れた構成にでき、さらに、通常状態でも右方へのスライド移動後の状態であっても第一スイッチ部の第一可動接点３５への押圧箇所が突起部材３８位置に限定され、スライド操作前やスライド操作後のいずれの状態であっても第一可動接点３５からの節度が良好に得られるものに実現できる。
【００７１】
そして、バネ部７２を金属カバー７０に一体化させ、そのダボ部７３を操作体６０の感触生成部６４に係合、離脱させてスライド操作時の操作感触が得られるため、部品点数も少なく抑えられる。
【００７２】
なお、第一スイッチ部の詳細構成は、プッシュ操作型のものであれば前述構成のものに限定されることはない。例えば、二つの固定接点の配置位置が異なったものとされ、それらを可動接点で導通させるものとしてもよいし、また可動接点の形状が異なっているものなどとしてもよい。ただし、第一スイッチ部としては、少なくとも動作時に節度が得られるものが好ましい。また、操作体６０の通常状態とスライド移動操作後とでは、第一スイッチ部へのプッシュ操作位置が異なることにもなるため、いずれの場合であっても可動接点から同様の節度が得られるように構成するとよい。
【００７３】
第二スイッチ部としても、様々なプッシュ式のものを適用してもよく、例えば、第一スイッチ部と同様に、可動接点に対する二つの固定接点の配置位置が異なっている構成であったり、可動接点の形状が異なっているものなどであってもよい。なお、当該構成品のようにスライド移動時の感触を金属カバー７０に対する操作体６０の相対移動により得られる構成とする場合には、第二スイッチ部は、節度を有することなく操作体６０のスライド移動に伴ってスイッチ状態が切り換わるのみの機能を有したものとすることが好ましい。
【００７４】
例えば、上述したプッシュ式の第二スイッチ部の代わりに、図７〜図９に示したように、樹脂ケース８０の底部上に対となる第二スイッチ部用固定接点８１を互いに独立状態で配設し、その第二スイッチ部用固定接点８１に対してバネ体８３の弾性アームが上下に対向するようにバネ体８３を樹脂ケース８０に固定して、操作体６０の右側へのスライド移動で上記弾性アームが節度なく押し下げられていき、独立した上記固定接点８１どうし間が導通されるものなどであってもよい。なお、同図に示した他の構成部分については、図１を用いて説明した上述構成のものとほぼ同様であるため、その詳細説明を省略する。
【００７５】
または、例えば第二スイッチ部を単純なスライド式のものとしてもよく、その構成事例としては図１０〜図１２に示したものがあげられる。当該構成品では、操作体６０Ａの下面に刷子９０が固定され、操作体６０Ａのスライド移動で、刷子９０に接離する一対の第二スイッチ部用固定接点９２を樹脂ケース９４の底部上に配設したものとしている。このように、スライド式で状態が切り換わる第二スイッチ部を有するものとしてもよい。なお、同図に示した他の構成部分についても、図１を用いて説明した上述構成のものとほぼ同様であるため、その詳細説明は省略する。
【００７６】
一方、第二スイッチ部として可動接点の動作時に節度が得られる形態のものとし、その節度をスライド移動操作時の操作感触とするものとしてもよい。この場合には、バネ部７２や操作体６０、６０Ａの感触生成部６４を設ける必要がなくなり、各部品形状の簡素化を図ることが可能である。
【００７７】
以上のように、本発明は、第一スイッチ部や第二スイッチ部の詳細構成などに特に限定されるものではなく、両者のスイッチ部を長手方向に沿って順に並べて配置することにより前後方向に細幅化を図ったものとしたことにある。さらに、通常状態で一つの操作体６０や６０Ａをプッシュ操作すると一方のスイッチ部の状態が切り換わり、スライド操作をすると他方のスイッチ部の状態が切り換わり、上記スライド操作後でプッシュ操作をすると、切り換わった他方のスイッチ部の状態を維持したままで一方のスイッチ部も切り換わるように構成した点にある。
【００７８】
言い換えると、上記の各スイッチ部の切り換わり状態となるように、スライド操作した際には一つの操作体６０や６０Ａが水平にスライド移動し、プッシュ操作した際には上記スライド移動前の位置およびスライド移動後の位置に拘らず一つの操作体６０や６０Ａが傾倒動作する構成とした点にある。これであれば、部品点数の増加なども抑えられ、同じ操作部６２への所定操作で上述したスイッチの切り替え状態に切り替え可能なものに実現できる。なお、プッシュ操作時に上記操作体６０、６０Ａを傾倒動作させるための詳細構成や手段は上述したもののみに限定されることはない。
【産業上の利用可能性】
【００７９】
本発明による複合スイッチは、操作体へのプッシュ操作に応じて第一スイッチ部のスイッチ状態が切り換わり、また同じ操作体に対するスライド移動に応じて第二スイッチ部のスイッチ状態が切り換わる細幅構成のものに実現できるという有利な効果を有し、各種電子機器の入力部等を構成する際に有用である。
【符号の説明】
【００８０】
３０、８０、９４  樹脂ケース
３２  第一接点
３３  第二接点
３５  第一可動接点
３７  第一絶縁シート
３８  突起部材
４２  第三接点
４３  第四接点
４５  第二可動接点
４７  第二絶縁シート
５０  固定部材
５１  中央平坦部
５２  アーム部
５３  板状部
５４  直線延出部
５５  駆動部
５６  駆動部のダボ部
５７  曲げ部
５８  先端部
６０、６０Ａ  操作体
６１  本体部
６２  操作部
６３  縁部
６４  感触生成部
６５  連結部
６６  突起
７０  金属カバー
７１  貫通孔
７２  バネ部
７３  バネ部のダボ部
８１、９２  第二スイッチ部用固定接点
８３  バネ体
【図１】
2014013709.tif 000003
【図２】
2014013709.tif 000004
【図３】
2014013709.tif 000005
【図４】
2014013709.tif 000006
【図５】
2014013709.tif 000007
【図６】
2014013709.tif 000008
【図７】
2014013709.tif 000009
【図８】
2014013709.tif 000010
【図９】
2014013709.tif 000011
【図１０】
2014013709.tif 000012
【図１１】
2014013709.tif 000013
【図１２】
2014013709.tif 000014
【図１３】
2014013709.tif 000015
【図１４】
2014013709.tif 000016
【図１５】
2014013709.tif 000017
【図１６】
2014013709.tif 000018